(57)【特許請求の範囲】
【請求項１】
符号化する符号化範囲内に無効な信号部分を有するラインが含まれている入力映像信号データのライン間の差分をとって圧縮符号化する映像信号符号化の前処理方法において、該方法は、
前記無効な信号部分を有するラインのうち前記入力映像信号データの表す画面の上端のラインでは、該上端のラインの直後のラインの映像信号データを選択して代替えする工程と、
前記無効な信号部分を有するラインのうち前記画面の下端のラインでは、該下端のラインの直前のラインの映像信号データを選択して代替えする工程とを含むことを特徴とする映像信号符号化の前処理方法。
【請求項２】
符号化する符号化範囲内に無効な信号部分を有するラインが含まれている入力映像信号データのライン間の差分をとって圧縮符号化する映像信号の符号化方法において、該方法は、
前記無効な信号部分を有するラインのうち前記入力映像信号データの表す画面の上端のラインでは、該上端のラインの直後のラインの映像信号データを選択して代替えする第１の工程と、
前記無効な信号部分を有するラインのうち前記画面の下端のラインでは、該下端のラインの直前のラインの映像信号データを選択して代替えする第２の工程と、
第１および第２の工程によって代替えされた結果の信号について、ライン間の差分をとって圧縮符号化する第３の工程とを含むことを特徴とする映像信号の符号化方法。
【請求項３】
符号化する符号化範囲内に無効な信号部分を有するラインが含まれている入力映像信号データのライン間の差分を圧縮符号化する映像信号符号化の前処理装置において、該装置は、
前記入力映像信号データを１水平走査線分遅延させて第１の信号データとして出力する第１の遅延手段と、
前記入力映像信号データ、および第１の信号データのいずれかを選択して第２の信号データとして出力する第１の選択手段と、
第２の信号データを１水平走査線分遅延させて第３の信号データとして出力する第２の遅延手段と、
第２の信号データ、および第３の信号データのいずれかを選択して第４の信号データとして出力する第２の選択手段と、
第１および第２の選択手段を制御する制御手段とを含み、
該制御手段は、通常は第１の選択手段に前記第１の信号データを選択させ、前記無効な信号部分を有するラインのうち前記入力映像信号データの表す画面の上端のラインでは、第１の選択手段を制御して、前記入力映像信号データを選択させて該上端のラインの直後のラインでこれを代替えし、通常は第２の選択手段に前記第２の信号データを選択させ、前記無効な信号部分を有するラインのうち前記画面の下端のラインでは、第２の選択手段を制御して、前記第３の信号データを選択させて該下端のラインの直前のラインでこれを代替えすることを特徴とする映像信号符号化の前処理装置。
【請求項４】
符号化する符号化範囲内に無効な信号部分を有するラインが含まれている入力映像信号データのライン間の差分を圧縮符号化する映像信号符号化装置において、該装置は、
前記入力映像信号データを１水平走査線分遅延させて第１の信号データとして出力する第１の遅延手段と、
前記入力映像信号データ、および第１の信号データのいずれかを選択して第２の信号データとして出力する第１の選択手段と、
第２の信号データを１水平走査線分遅延させて第３の信号データとして出力する第２の遅延手段と、
第２の信号データ、および第３の信号データのいずれかを選択して第４の信号データとして出力する第２の選択手段と、
第１および第２の選択手段を制御する制御手段と、
第４の信号データについて、ライン間の差分をとって圧縮符号化する符号化手段とを含み、
前記制御手段は、通常は第１の選択手段に前記第１の信号データを選択させ、前記無効な信号部分を有するラインのうち前記入力映像信号データの表す画面の上端のラインでは、第１の選択手段を制御して、前記入力映像信号データを選択させて該上端のラインの直後のラインでこれを代替えし、通常は第２の選択手段に前記第２の信号データを選択させ、前記無効な信号部分を有するラインのうち前記画面の下端のラインでは、第２の選択手段を制御して、前記第３の信号データを選択させて該下端のラインの直前のラインでこれを代替えすることを特徴とする映像信号符号化装置。
【発明の詳細な説明】
【０００１】
【発明の属する技術分野】
本発明は、映像信号の符号化に関し、とくに、符号化される範囲に無効な信号期間を含む映像信号符号化の前処理方法および装置に関するものである。
【０００２】
【従来の技術】
映像信号を伝送したり、記録したりする場合、伝送帯域や記録領域を効率よく利用するために、一般に映像信号の持つ冗長性を除去することにより、データの圧縮処理が行われる。冗長性の削減は一般に、時間的な冗長性を削減するフレームもしくはフィールド間符号化と、空間的な冗長性を削減する直交変換符号化を併用するハイブリッド方式が採用されている。空間的な冗長性は隣接するライン間の相関すなわち差分を判別することで判断可能である。通常、テレビジョン(TV)信号のある画素値の情報はその近傍の情報との相関が大きいという性質があり、連続するライン間の垂直方向の画素値の差分は小さく、ライン間距離が大きくなるほど一般には大きくなる。したがって、連続するライン間の差分をとる差分符号化により、伝送するデータ量は大幅に削減可能である。本発明はこの隣接するライン間の差分を伝送する符号化に関する。
【０００３】
一般にMPEG2 (Moving Picture Experts Group 2)等の符号化処理において、 DCT（離散コサイン変換）処理を行う場合、画面の垂直方向の符号化範囲に含まれるライン数は、垂直方向にはブロックサイズがライン数ｍ（自然数）に相当するＮ（自然数）個のブロックが含まれる関係から、2m×N である。周知のように、PAL (Phase Alternation by Line) 信号の場合では１フィールドあたり288 ラインとなっている。625/50 PAL標準方式の映像信号は、インタレースされた２フィールドの画面で１フレームが構成される。１フレームは625 ラインの水平走査線から構成され、１フィールド当たり312.5 ラインである。１フィールドの中には垂直帰線期間が含まれ、画像として有効な映像信号が重畳される部分は１フィールド当たり287.5 ラインである。したがって、符号化範囲内の画面上端および下端では、ライン期間の半分にのみ有効映像信号が存在する。
【０００４】
【発明が解決しようとする課題】
より詳細には、PAL 信号の場合、第１フィールド（奇数フィールド）の垂直帰線期間後の映像信号重畳ラインの始めのライン#23 は、水平期間の信号部分の途中から有効映像信号が重畳され、この水平期間の信号部分の1/2 ライン分に相当する期間は垂直ブランキング期間であるために、有効な映像信号データはない。また、第２フィールド（偶数フィールド）の最後の映像重畳部分であるライン#623は、その水平期間の終わりの1/2 期間の部分について、やはり垂直ブランキング期間に相当するために、有効映像信号データはない。したがって、時間的に連続する隣接ラインの差分を符号化する符号化方式においては、この第１フィールドの第23ラインの1/2 水平信号部分については無効部分であり、近傍のラインの映像信号データとの相関がないため、符号化処理において大きな差分データが発生することがあり、これによって符号化効率が低下するという問題があった。また、第２フィールドの映像部分の終わりの623 番目のラインについても、映像の末端に相当するため、水平期間の後半の1/2 部分は有効データがなく無効部分であり、第１フィールドと同様、大きな差分が発生することがあり、符号化効率の低下を招くという問題があった。
【０００５】
本発明はこのような従来技術の欠点を解消し、画面端の映像信号の符号化効率を改善できる映像信号符号化の前処理方法および装置を提供することを目的とする。
【０００６】
【課題を解決するための手段】
本発明は上述の課題を解決するために、映像信号の隣接ライン間の差分をとって圧縮符号化する際、それに先立って、映像信号の表す画面の上端および下端に相当するラインに映像として無効なデータが存在すると、当該ラインのデータを時間的に連続する隣接ラインの映像信号データで代替えする。これにより、ライン間差分を低減させ、後段の差分符号化における符号化効率を向上させるものである。
【０００７】
本発明によれば、符号化する符号化範囲内に無効な信号部分を有するラインが含まれている入力映像信号データのライン間の差分をとって圧縮符号化する映像信号符号化の前処理方法は、無効な信号部分を有するラインのうち入力映像信号データの表す画面の上端のラインでは、上端のラインの直後のラインの映像信号データを選択して代替えする工程と、無効な信号部分を有するラインのうち前記画面の下端のラインでは、下端のラインの直前のラインの映像信号データを選択して代替えする工程とを含む。
【０００８】
本発明によればまた、符号化する符号化範囲内に無効な信号部分を有するラインが含まれている入力映像信号データのライン間の差分を圧縮符号化する映像信号符号化の前処理装置は、入力映像信号データを１水平走査線分遅延させて第１の信号データとして出力する第１の遅延手段と、入力映像信号データ、および第１の信号データのいずれかを選択して第２の信号データとして出力する第１の選択手段と、第２の信号データを１水平走査線分遅延させて第３の信号データとして出力する第２の遅延手段と、第２の信号データ、および第３の信号データのいずれかを選択して第４の信号データとして出力する第２の選択手段と、
第１および第２の選択手段を制御する制御手段とを含み、
該制御手段は、無効な信号部分を有するラインのうち入力映像信号データの表す画面の上端のラインでは、第１の選択手段を制御して、上端のラインの直後のラインの第１の信号データを選択させてこれを代替えし、無効な信号部分を有するラインのうち前記画面の下端のラインでは、第２の選択手段を制御して、下端のラインの直前のラインの第４の信号データを選択させてこれを代替えする。
【０００９】
本発明によればまた、映像信号符号化の前処理装置に、第４の信号データについて、ライン間の差分をとって圧縮符号化する符号化手段を接続してもよい。
【００１０】
【発明の実施の形態】
次に添付図面を参照して本発明による映像信号符号化の前処理装置の実施例を詳細に説明する。図１を参照すると、本発明を625/50 PAL標準方式に適用した映像信号符号化装置の実施例は、全体として、入力10に到来する625/50 PAL標準方式の映像信号を前処理する前処理回路12と、この前処理された映像信号DATA5 を圧縮符号化する符号化回路14とを含み、画面端の映像信号が効率的に符号化された映像信号を装置出力16に出力するものである。以下の説明において、信号は、その現れる接続線の参照符号でも指示することがある。
【００１１】
入力10に到来するTV信号は、本実施例では625/50 PAL標準方式の映像信号である。そのフレーム構成は、625 ラインの水平走査線で１フレームが構成され、１フレームはインタレースされた２フィールドから構成され、したがって１フィールド当たり312.5 ラインである。その第１フィールド（奇数フィールド）の始めの部分のフレーム構成は図６(a) に示され、第２フィールド（偶数フィールド）の始めの部分のフレーム構成は同図(b) に示されている。１フィールドを構成する312.5 ラインには垂直帰線期間が含まれ、有効な映像信号が重畳される部分は１フィールド当たり287.5 ラインであり、符号化範囲内の画面上端と下端ではライン期間の半分にのみ有効映像信号がある。
【００１２】
図６に示すように、PAL 信号の場合、第１フィールドの垂直帰線期間後の映像信号重畳ラインの始めのライン#23 は水平期間の信号部分の途中から有効映像信号が重畳され、水平期間の映像信号部分の1/2 ライン分に相当する期間は垂直ブランキング期間であるために、有効な映像信号データはない。また、第２フィールドの最後の映像重畳部分であるライン#623は、水平期間の終わりの1/2 映像部分について、やはり垂直ブランキング期間に相当するために、有効映像信号データがない。
【００１３】
本発明によれば、625/50 PAL標準方式映像信号10を、ライン相関を利用してデータ圧縮する映像信号符号化装置において、第１フィールドの第23番目のラインデータを時間的に連続する第24番めのラインデータで代替えする。より詳細には、図６(a) において、第23番目のラインでは有効映像信号データはラインの後半の1/2 部分にあり、前処理回路12は、このライン#23 をライン全体に有効映像データが重畳されている第24番目のラインのデータで置換する。したがって、符号化回路14は、第１フィールドの23番目の水平ラインと第24番目のラインとの差分計算は、実際には第１フィールドの24番目のライン同士の差分を計算することとなる。したがって、この差分はゼロである。第１フィールドの画面下端については、同図(b) に示すように、有効映像信号データの存在する最後の第310 ラインは隣接する第311 ラインとの差分を伝送することになる。しかし、符号化回路14における符号化範囲は１フィールド当たり288 ラインであり、このラインは符号化されず、符号化されるのはその前の第309 ラインまでである。すなわち、ライン#309とライン#310の差分が演算されるので、無効部分は存在しないため、大きな差分は発生しない。
【００１４】
同様に第２フィールドの画面上端では、有効映像データの存在するラインの始まりはライン#336であり、隣接ライン#337には無効データはないので、ライン間差分は大きくならない。第２フィールドの画面下端のライン#623については、第１フィールドの映像データのライン#23 と同様、水平部分の1/2 部分の有効映像データはなく、無効であり、ライン間差分をとることができない。したがって、この場合は、ライン#623のデータをライン#622のデータで置き換えればよい。第２フィールドにおいても、符号化される範囲は288 ラインの区間であり、上述のような代替えによりライン間に無効部分による大きな差分が発生することは、ない。
【００１５】
したがって、本発明による映像信号符号化の前処理によれば、符号化範囲での無効データによる急激な差分信号の発生を防止できるため、符号化回路14における符号化効率を改善する効果が大きい。また、無効データによる急激な符号化データの増大が緩和されて、後続の符号化回路14では、バッファメモリ（図示せず）の占有量の飽和を防ぎ、バッファメモリの蓄積量により制御される量子化ステップの拡大を防ぎ、量子化誤差を改善できるため、画質の改善効果もある。
【００１６】
図１に戻ると、実施例において、入力10には、映像信号源（図示せず）から入力映像信号データDATA1 が入力される。入力映像信号データDATA1 は、例えば図６に示した625/50 PAL方式映像信号であり、１ライン遅延回路18の入力、選択回路20の一方の入力および同期分離回路22に接続される。この実施例は、625/50 PAL標準方式の映像信号に適用したものであるが、符号化範囲内において無効な映像信号部分を有するラインを含む映像信号であれば、本発明が効果的に適用されることは明らかである。例えば、SECAM (SEquential Color And Memory) 方式の映像信号に関しても本発明が適用でき、本発明は、説明のための特定の実施例に限定されるものではない。
【００１７】
遅延回路18は、入力される映像信号データDATA1 を１水平走査期間だけ遅延させてその出力DATA2 を選択回路20の他方の入力へ出力する遅延回路である。遅延回路18には一般に、メモリが使用される。選択回路20は、同期分離回路22からの選択制御信号24に応動して２つの入力映像信号DATA1 およびDATA2 のいずれかを選択する選択回路である。選択回路20の出力DATA3 は、別な１ライン遅延回路26および選択回路28の一方の入力に接続されている。
【００１８】
この１ライン遅延回路26は、上述の遅延回路18と同様の構成でよく、入力される映像信号データDATA3 を１水平走査期間だけ遅延させてその出力DATA4 を選択回路28の他方の入力へ出力する遅延回路である。この出力DATA4 は選択回路28のもう一方の入力に接続されている。この選択回路28は、選択回路20と構成が同じでよく、２つの入力映像信号DATA3 およびDATA4 のいずれか一方を選択制御入力30により選択してその出力DATA5 に出力する。
【００１９】
これらの選択回路20および28の各選択制御入力24および30に入力される選択制御信号は、同期分離回路22によって発生される。同期分離回路22は、入力10に到来する映像信号データDATA1 から水平および垂直同期信号を抽出し、選択制御信号24および30を生成する制御信号発生回路である。一方の選択制御信号24は、本実施例では、映像信号データDATA1 におけるライン番号#23 の出力タイミングを表す選択制御信号であり、一方の選択回路20の切替え制御信号である。より詳細には、選択制御信号24は、映像信号データDATA1 におけるライン番号#23 の出力タイミングで有意状態をとり、選択回路20は、選択制御信号24の有意状態に応動して一方の入力映像信号DATA1 を選択してその出力DATA3 へ出力し、選択制御信号24が無意状態のときは、つまり映像信号データDATA1 におけるライン番号#23 の出力タイミング以外のときは、他方の入力映像信号DATA2 を選択するように構成されている。
【００２０】
同様に、他方の選択制御信号30は、本実施例では、ライン番号#623のタイミングを表す選択制御信号であり、他方の選択回路28の切替え制御入力に接続される。より詳細には、選択制御信号30は、本実施例では、映像信号データDATA1 におけるライン番号#623の出力タイミングで有意状態をとり、選択回路28は、選択制御信号30の有意状態に応動して一方の入力映像信号DATA4 を選択してその出力DATA5 へ出力し、選択制御信号30が無意状態のときは、つまり映像信号データDATA1 におけるライン番号#623の出力タイミング以外のときは、他方の入力映像信号DATA3 を選択するように構成されている。
【００２１】
選択回路20および28はそれぞれ、同期分離回路22に代わって、選択制御信号24および30として出力側同期信号が供給されてライン番号を識別し、回路内部でライン番号#23 および#623の出力タイミングを示す選択信号を生成する機能を含ませてもよい。
【００２２】
選択回路28の出力信号データDATA5 は、符号化回路14の入力に接続され、符号化回路14は、入力される映像信号データDATA5 に、本実施例ではMPEG2 (Moving Picture Experts Group 2)符号化処理に準じた DCT（離散コサイン変換）処理を行う冗長圧縮回路である。圧縮符号化された映像信号データは、装置出力16から出力される。
【００２３】
動作状態において、入力映像信号データDATA1 は１ライン遅延回路１に入力され、１水平走査線分遅延されてDATA2 出力を得る。入力映像信号データDATA1 および１ライン遅延回路１の出力DATA2 は、選択回路20において選択制御信号24によりライン単位で切り替えられる。図２を参照すると、625/50 PAL標準方式映像信号の第１フィールドの垂直ブランキング近傍の部分（画面上端）について、前処理回路12の各部に現れる映像信号波形が示されている。波形に添えられている数字はライン番号を示し、横軸は時間である。以降の図において、同様の構成要素は同じ参照符号で示す。
【００２４】
このタイムチャートから分かるように、選択回路20では、通常は、１ライン遅延回路18の出力であるDATA2 が選択されているが、第23ラインの出力タイミングでは、入力端子10からの入力映像信号データDATA1 が選択される。したがって、選択回路20の出力DATA3 のデータ系列の順序は、ラインデータ#24 、ラインデータ#24 、ラインデータ#25 ・・・・となる。選択制御信号24は、第23ラインの出力タイミングの時に有意状態をとると、選択回路20は、これに応動して、その時、入力端子10に到来した入力映像信号データDATA1 を選択し、その出力DATA3 へ出力する。選択回路20からのこのような出力DATA3 は、選択回路28の一方の入力と遅延回路26の両方へ入力される。遅延回路26は、選択回路20からの出力DATA3 を１ライン分遅延させて、これをその出力DATA4 から選択回路28の他方の入力へ供給する。
【００２５】
次に選択回路28は、選択回路20からの出力DATA3 と１ライン遅延回路26により１ライン分遅延させた出力DATA4 とを切り替えて、出力DATA5 を出力する。図３を参照すると、第２フィールドの垂直ブランキング期間（画面下端）近傍の波形が示されている。同図に示すように、選択回路28は通常は、選択回路20からの出力DATA3 を選択しているが、ライン番号#623のタイミングでは、有意状態の選択制御信号30が与えられ、これに応動して１ライン遅延したDATA4 を選択し、その出力DATA5 を出力する。したがって、選択回路28の出力データ系列の順序は、ライン#621、ライン#622、ライン#622となる。
【００２６】
そこで最終的に、選択回路28の出力データDATA5 のデータ順序は、第１フィールドでは#24 、#24 、#25 、#26 、・・・・#310となり、第２フィールドでは#336、#337、・・・・#621、#622、#622となる。このようなデータ系列のラインデータDATA5 は符号化回路14に入力され、符号化回路14は、これに DCT変換を行って冗長度を圧縮し、圧縮符号化された映像信号データとして装置出力16から出力する。これらのラインデータDATA5 はすべて、ライン全体に有効映像信号データが存在するため、符号化回路14は、隣接ラインとの差分による符号化の場合、MPEG2 による符号化区間の288 ラインに対して無効データ部分を使用することがない。そのため、急激な差分の増大をさけることができ、符号化効率の向上ができる。本実施例によれば、ライン差分をとるライン#23 と#24 、およびライン#622と#623は、それぞれ同一データを使用するため、差分はゼロであり、符号量の発生を大きく削減できる。
【００２７】
上述の実施例では、第23番ラインを第24番ラインで代替えし、第623 番ラインを第622 番ラインで代替えしている。実際、第23番ラインおよび第623 番ラインの1/2 には、本来有効なデータが存在する。したがって、有効部分のデータはそのまま生かすこととし、無効部分のみを隣接ラインデータで代替えするように構成してもよい。このような1/2 期間を代替えした映像信号データを差分符号化をすれば、急激な符号データ量の増大を招くことなく、かつより画質を改善した符号化が可能である。これは、第23番ラインおよび第623 番ラインの有効映像信号データが存在する1/2 期間にのみ選択制御信号24および30が有意状態をとるように、同期分離回路22を構成すればよい。
【００２８】
このような有意状態をとる選択制御信号24および30が与えられると、選択回路18から出力される映像信号データDATA3 は、図４に示すように、第１フィールドの画面上端部分付近において、ライン#23 のデータのうち同図に「23」と示されている部分、つまりライン#23 の１水平走査期間の後半で有効映像信号が含まれている部分は元のライン#23 のデータがそのまま使用されている。一方、同図に「24」と示されているデータ部分、つまりライン#23 の１水平走査期間の前半で有効映像信号が存在しない部分は、１ライン遅延回路18の出力データDATA2 の対応部分が使用される。そこで、同期分離回路22から選択回路20へ加えられる選択制御信号24は、第23ラインに関しては、ラインの途中の1/2 期間経過時点で入力DATA2 からDATA1 へ切り替えるような切替え制御信号である。第24ライン以降は、前述の実施例で説明したように、１ライン遅延回路18の出力データDATA2 が選択される。
【００２９】
一方、第２フィールドの画面下端の場合は、図５に示すように、選択回路28の出力データDATA5 において、ライン#623のデータのうち、同図において「623 」と示されている部分、つまりライン#623の１水平走査期間の前半で有効映像信号が含まれている部分は、元のライン#623のデータがそのまま使用されている。一方、同図において「622 」と示されているデータ部分、つまりライン#623の１水平走査期間の後半で有効映像信号が存在しない部分は、１ライン遅延回路26の出力データDATA4 の対応部分が使用される。そこで、同期分離回路22から選択回路28へ加えられる選択制御信号30は、第623 ラインに関しては、ラインの途中の1/2 期間経過時点で入力DATA3 からDATA4 へ切り替えるような切替え制御信号である。もちろん、第622 ライン以前では、前述の実施例で説明したように、選択回路20からの出力データDATA3 が選択される。これらの切替え信号24および30は、同期分離回路22において、有効な入力信号データの有無から切替え信号タイミングを検出して生成してもよく、または、垂直ブランキング期間を計数してそのタイミングから1/2 期間経過時点を検出して生成してもよい。
【００３０】
このように、別な実施例では、ラインの有効映像信号部分を有効に利用するように構成したため、さらに画質を改善することができる。
【００３１】
上述の実施例では、符号化回路14は、ライン差分をフィールド内信号でとって符号化圧縮を行なっている。しかし本発明は、これのみに限定されず、フィールド間差分符号化へも適用可能であることは明らかである。その場合は、例えば画面上端では、第１フィールドのライン#23 のデータが第２フィールドのライン#336と差分がとられ符号化される。そのとき、第23番ラインは第24番ラインのデータにより代替えされることは、前述の実施例と同様であり、画面下端の第310 番ラインは、第２フィールドの第622 番ラインのデータで代替えされた第623 番ラインとの差分がとられて符号化される。
【００３２】
【発明の効果】
このように本発明によれば、画面端の有効データのないラインデータを有効成分を有する隣接ラインのデータで代替えする前処理を行なった後、ライン差分をとって符号化を行うため、とくに隣接ライン間の差分を伝送する差分符号化装置において、ライン間の差分の急激な増大を回避でき、符号化効率を改善することができる。また、バッファメモリの蓄積符号量の増大に伴うオーバーフローを避けるための量子化ステップの急激な変化による画質劣化を防止できる。
【図面の簡単な説明】
【図１】本発明による映像信号符号化装置を625/50 PAL標準方式に適用した実施例を示す機能ブロック構成図である。
【図２】図１に示す実施例を説明するための第１フィールドの画面上端部分の信号波形を例示するタイムチャートである。
【図３】同実施例における第２フィールドの画面下端部分の信号波形を例示する、図２と同様のタイムチャートである。
【図４】本発明の他の実施例を説明するための第１フィールの画面上端部分の信号波形を例示する、図２と同様のタイムチャートである。
【図５】同他の実施例を説明するための第２フィールの画面下端部分の信号波形を例示する、図３と同様のタイムチャートである。
【図６】  625/50 PAL標準方式映像信号のフレーム構成を説明するための信号波形図である。
【符号の説明】
12  前処理回路
14  符号化回路
18、26  １ライン遅延回路
20、28  選択回路
22同期分離回路
24、30  選択制御信号
DATA1 入力映像信号データ
DATA2 、DATA4 １ライン遅延回路出力データ
DATA3 、DATA5 選択回路出力データ
【図１】
0004395967.tif 000002
【図２】
0004395967.tif 000003
【図３】
0004395967.tif 000004
【図４】
0004395967.tif 000005
【図５】
0004395967.tif 000006
【図６】
0004395967.tif 000007